(57)【要約】【課題】人物撮影に際して、被写体によって異なる多様な肌の色を適切な色に表現することができる電子カメラ装置、及び色調整方法を提供する。【解決手段】複数種の肌の色２０１ａに対応する赤成分および黄成分別の彩度の増加率２０１ｂ，２０１ｃを示す色調整データ２０１を記憶しておく。撮影に撮影に先立ち、肌の色２０１ａを示す色見本を表示し、色見本から被写体の肌の色に近い肌の色２０１ａを選択させたり、撮影待機状態においてスルー画像として表示する被写体画像から被写体の顔部分の肌の色を自動的に特定したりする。撮影により取得した被写体画像の彩度を、予め選択されていた肌の色２０１ａ、または予め特定しておいた肌の色に近い肌の色２０１ａに対応する増加率２０１ｂ，２０１ｃで赤成分および黄成分別に調整し、被写体の肌の色に応じた適切な肌色強調を行う。【選択図】 図３
2010022068.tif 000002
【特許請求の範囲】
【請求項１】
撮像手段により被写体画像を撮像する撮像装置において、
複数種の肌の色の色見本、及び各色見本に対応する色調整情報を記憶する記憶手段と、
表示手段と、
前記記憶手段に記憶されている複数種の肌の色の色見本を前記表示手段に表示させて、使用者に、いずれかの肌の色を選択させる制御手段と、
この制御手段により使用者に選択させた肌の色に対応して前記記憶手段に記憶されている色調整情報に基づき、前記撮像手段により撮像された被写体画像の色を調整する色調整手段と
を備えたことを特徴とする電子カメラ装置。
【請求項２】
複数種の肌の色の色見本は、人物の顔を撮影した画像であることを特徴とする請求項１記載の電子カメラ装置。
【請求項３】
前記色調整情報は所定の色成分の彩度の調整情報を含み、前記色調整手段は、前記色調整情報に基づき所定の色成分の彩度を調整することにより被写体画像の色を調整することを特徴とする請求項１又は２記載の電子カメラ装置。
【請求項４】
前記色調整情報は、色相の調整情報を含み、前記色調整手段は、前記色調整情報に基づき色相を調整することにより被写体画像の色を調整することを特徴とする請求項１，２又は３記載の電子カメラ装置。
【請求項５】
前記色調整情報は、明度の調整情報を含み、前記色調整手段は、前記色調整情報に基づき明度を調整することにより被写体画像の色を調整することを特徴とする請求項１〜４のいずれか１項に記載の電子カメラ装置。
【請求項６】
電子カメラ装置における撮像手段により撮像した被写体画像の色調整方法であって、
事前に用意してある複数種の肌の色の色見本から、使用者に、いずれかの肌の色を選択させる工程と、
撮像した被写体画像の色を、使用者によって予め選択された肌の色に対応する調整内容で調整する工程と
を含むことを特徴とする色調整方法。
【請求項７】
撮像手段により被写体画像を撮像する電子カメラ装置が有するコンピュータに、
事前に用意してある複数種の肌の色の色見本から、使用者に、いずれかの肌の色を選択させる処理と、
撮像した被写体画像の色を、使用者によって予め選択された肌の色に対応する調整内容で調整する処理と
を実行させるためのプログラム。
【請求項８】
撮像手段により被写体画像を撮像する電子カメラ装置において、
前記被写体画像をスルー画像として表示する表示手段と、
複数種の肌の色に対応する色調整情報を記憶する記憶手段と、
所定の撮影モードで前記撮像手段により撮像された被写体画像の肌の色の種類を特定する特定手段と、
この特定手段により特定された種類の肌の色に対応して前記記憶手段に記憶されている色調整情報に基づき、前記撮像手段により撮像された被写体画像の色を調整する色調整手段と
を備えたことを特徴とする電子カメラ装置。
【請求項９】
さらに、前記所定の撮影モードで前記スルー画像に重ねて肌の色を検出する範囲を示すための構図枠前記表示手段に表示させる表示制御手段を備えたことを特徴とする請求項８記載の電子カメラ装置。
【請求項１０】
前記色調整情報は所定の色成分の彩度の調整情報を含み、前記色調整手段は、前記色調整情報に基づき所定の色成分の彩度を調整することにより被写体画像の色を調整することを特徴とする請求項８又は９記載の電子カメラ装置。
【請求項１１】
前記色調整情報は、色相の調整情報を含み、前記色調整手段は、前記色調整情報に基づき色相を調整することにより被写体画像の色を調整することを特徴とする請求項８，９又は１０記載の電子カメラ装置。
【請求項１２】
前記色調整情報は、明度の調整情報を含み、前記色調整手段は、前記色調整情報に基づき明度を調整することにより被写体画像の色を調整することを特徴とする請求項８〜１１のいずれか１項に記載の電子カメラ装置。
【請求項１３】
電子カメラ装置における撮像手段により撮像した被写体画像の色調整方法であって、
所定の撮影モードで前記撮像手段により撮像された被写体画像の肌の色の種類を特定する工程と、
特定した種類の肌の色に対応する調整内容で前記被写体画像の色を調整する工程と
を含むことを特徴とする色調整方法。
【請求項１４】
撮像手段により被写体画像を撮像する電子カメラ装置が有するコンピュータに、
所定の撮影モードで前記撮像手段により撮像された被写体画像の肌の色の種類を特定する処理と、
特定した種類の肌の色に対応する調整内容で前記被写体画像の色を調整する処理と
を実行させるためのプログラム。
【発明の詳細な説明】
【技術分野】
【０００１】
本発明は、電子カメラ装置、及び色調整方法に関するものである。
【背景技術】
【０００２】
従来、ＣＣＤ等の撮像素子を用いて被写体を撮像する際、人物の肌色をより綺麗に表現するための方法としては、例えば被写体の肌色部分が露出超過とならない露出制御を行うことにより、肌色部分の退色を防止し、結果的に肌色をより自然な色に再現するといった方法が公知である（特許文献１参照）。なお、係る方法では、映像信号の輝度信号レベルに応じた露出制御を行っているとき、映像信号に肌色の着色部分のある期間についは、肌色の色飽和度を検出し、かつそれを輝度信号レベルに混合することにより露出を抑え、肌色部分の退色を防止している。
【先行技術文献】
【特許文献】
【０００３】
【特許文献１】特開平４−３１８７７３号公報
【発明の概要】
【発明が解決しようとする課題】
【０００４】
しかしながら、上記方法においては、予め決められている肌色についてはそれを綺麗に表現することはできるが、人物の肌の色は一義的に決めることはできない。そのため被写体の肌の色によっては、それを適切な色に表現することができないという問題があった。
【０００５】
本発明は、かかる従来の課題に鑑みてなされたものであり、人物撮影に際して、被写体によって異なる多様な肌の色を適切な色に表現することができる電子カメラ装置、及び色調整方法を提供することを目的とする。
【課題を解決するための手段】
【０００６】
前記課題を解決するため請求項１の発明にあっては、撮像手段により被写体画像を撮像する撮像装置において、複数種の肌の色の色見本、及び各色見本に対応する色調整情報を記憶する記憶手段と、表示手段と、前記記憶手段に記憶されている複数種の肌の色の色見本を前記表示手段に表示させて、使用者にいずれかの肌の色を選択させる制御手段と、この制御手段により使用者に選択させた肌の色に対応して前記記憶手段に記憶されている色調整情報に基づき、前記撮像手段により撮像された被写体画像の色を調整する色調整手段とを備えたものとした。
【０００７】
かかる構成においては、被写体画像の色が、使用者によって選択させた肌の色に対応した色調整情報に基づき調整されるため、異なる被写体の肌の色に適した色調整を行うことができる。
【０００８】
また、請求項２の発明にあっては、前記制御手段が表示手段に表示させる色見本は、肌の色の異なる人物の顔を示す色見本画像であるものとした。
【０００９】
かかる構成においては、使用者が、肌の色として、より被写体の肌の色に近い色を容易に選択することができる。
【００１０】
また、請求項３の発明にあっては、前記色調整情報は所定の色成分の彩度の調整情報を含み、前記色調整手段は、前記色調整情報に基づき所定の色成分の彩度を調整することにより被写体画像の色を調整するものとした。
【００１１】
また、請求項４の発明にあっては、前記色調整情報は、色相の調整情報を含み、前記色調整手段は、前記色調整情報に基づき色相を調整することにより被写体画像の色を調整するものとした。
【００１２】
また、請求項５の発明にあっては、前記色調整情報は、明度の調整情報を含み、前記色調整手段は、前記色調整情報に基づき明度を調整することにより被写体画像の色を調整するものとした。
【００１３】
また、請求項６の発明にあっては、電子カメラ装置における撮像手段により撮像した被写体画像の色調整方法であって、事前に用意してある複数種の肌の色の色見本を表示手段に表示させて、使用者にいずれかの肌の色を選択させる工程と、撮像した被写体画像の色を、使用者によって予め選択された肌の色に対応する調整内容で調整する工程とを含む方法とした。
【００１４】
かかる方法によれば、被写体画像の色が、使用者によって選択させた肌の色に対応した色調整情報に基づき調整されることにより、異なる被写体の肌の色に適した色調整を行うことができる。
【００１５】
また、請求項７の発明にあっては、撮像手段により被写体画像を撮像する電子カメラ装置が有するコンピュータに、事前に用意してある複数種の肌の色の色見本を表示手段に表示させて、使用者にいずれかの肌の色を選択させる処理と、撮像した被写体画像の色を、使用者によって予め選択された肌の色に対応する調整内容で調整する処理とを実行させるためのプログラムとした。
【００１６】
また、請求項８の発明にあっては、撮像手段により被写体画像を撮像する電子カメラ装置において、前記被写体画像をスルー画像として表示する表示手段と、複数種の肌の色に対応する色調整情報を記憶する記憶手段と、所定の撮影モードで前記撮像手段により撮像された被写体画像の肌の色の種類を特定する特定手段と、この特定手段により特定された種類の肌の色に対応して前記記憶手段に記憶されている色調整情報に基づき、前記撮像手段により撮像された被写体画像の色を調整する色調整手段とを備えたものとした。
【００１７】
かかる構成において、所定の撮影モードでの撮影時には、スルー画像に表示された被写体画像における肌の色の種類が自動的に特定され、被写体画像の色が、自動的に特定された種類の肌の色に対応した色調整情報に基づき調整されることにより、異なる被写体の肌の色に適した色調整を行うことができる。
【００１８】
また、請求項９の発明にあっては、さらに、前記所定の撮影モードで前記スルー画像に重ねて肌の色を検出する範囲を示すための構図枠前記表示手段に表示させる表示制御手段を備えたものとした。
【００１９】
かかる構成においては、被写体画像における肌の色の種類が、被写体画像における、スルー画像に表示された構図枠の表示部分から自動的に特定される。
【００２０】
また、請求項１０の発明にあっては、前記色調整情報は所定の色成分の彩度の調整情報を含み、前記色調整手段は、前記色調整情報に基づき所定の色成分の彩度を調整することにより被写体画像の色を調整するものとした。
【００２１】
また、請求項１１の発明にあっては、前記色調整情報は、色相の調整情報を含み、前記色調整手段は、前記色調整情報に基づき色相を調整することにより被写体画像の色を調整するものとした。
【００２２】
また、請求項１２の発明にあっては、前記色調整情報は、明度の調整情報を含み、前記色調整手段は、前記色調整情報に基づき明度を調整することにより被写体画像の色を調整するものとした。
【００２３】
また、請求項１３の発明にあっては、電子カメラ装置における撮像手段により撮像した被写体画像の色調整方法であって、所定の撮影モードで前記撮像手段により撮像された被写体画像の肌の色の種類を特定する工程と、特定した種類の肌の色に対応する調整内容で前記被写体画像の色を調整する工程とを含む方法とした。
【００２４】
かかる方法によれば、所定の撮影モードでの撮影時には、スルー画像に表示された被写体画像における肌の色の種類が自動的に特定され、被写体画像の色が、自動的に特定された種類の肌の色に対応した色調整情報に基づき調整されることにより、異なる被写体の肌の色に適した色調整を行うことができる。
【００２５】
また、請求項１４の発明にあっては、撮像手段により被写体画像を撮像する電子カメラ装置が有するコンピュータに、所定の撮影モードで前記撮像手段により撮像された被写体画像の肌の色の種類を特定する処理と、特定した種類の肌の色に対応する調整内容で前記被写体画像の色を調整する処理とを実行させるためのプログラムとした。
【発明の効果】
【００２６】
以上のように本発明においては、被写体画像の色が、使用者によって選択させた肌の色に対応した色調整情報に基づき調整されることにより、異なる被写体の肌の色に適した色調整を行うことができるようにした。よって、人物撮影に際して、被写体によって異なる多様な肌の色を適切な色に表現することが可能となる。また、使用者が、肌の色として、より被写体の肌の色に近い色を容易に選択することができるようにしたことから、使い勝手を向上させることができる。
【００２７】
また、所定の撮影モードでの撮影時には、スルー画像に表示された被写体画像の色が、自動的に特定された種類の肌の色に対応した色調整情報に基づき調整されることにより、異なる被写体の肌の色に適した色調整を行うことができるようにした。よって、撮影時には、所定の撮影モードの設定により、煩雑な操作を必要とすることなく、被写体によって異なる多様な肌の色を適切な色に表現することが可能となる。さらに、被写体画像における肌の色の種類が、被写体画像における、スルー画像に表示された構図枠の表示部分から自動的に特定されるようにしたことから、肌の色の種類の特定を正確に行うことができる。その結果、被写体によって異なる多様な肌の色をより一層適切な色に表現することが可能となる。
【図面の簡単な説明】
【００２８】
【図１】各実施の形態に共通するデジタルカメラのブロック図である。
【図２】内蔵フラッシュメモリのメモリエリアの構成を示す概念図である。
【図３】第１の実施の形態における色調整データの内容を示す模式図である。
【図４】同実施の形態における人物撮影モードによるＣＰＵの処理手順を示すフローチャートである。
【図５】色見本選択画面を示す図である。
【図６】第２の実施の形態において人物撮影モードによるＣＰＵの処理手順を示すフローチャートである。
【図７】構図枠が存在する被写体画像を省略したスルー画像を示した図である。
【発明を実施するための形態】
【００２９】
以下、本発明の一実施の形態を図にしたがって説明する。
（実施形態１）
図１は、第１及び第２の実施の形態に共通した本発明に係るデジタルカメラ１の電気的構成の概略を示すブロック図である。デジタルカメラ１は、撮像手段であるＣＣＤ２とＣＰＵ３を有している。ＣＣＤ２は、図示しない撮影レンズ、フォーカスレンズ及びズームレンズを含む光学系を介して結像された被写体の光学像を光電変換し、被写体の光学像に応じたアナログの撮像信号を出力する。
【００３０】
ＣＰＵ３はデジタルカメラ１の各部を制御するとともに、ＪＰＥＧ方式による画像データの圧縮・伸張を含むデジタルの画像信号処理を行うワンチップマイコンである。ＣＰＵ３には、ＣＣＤ２の駆動信号を生成するＴＧ（Timing Generator）４が接続されており、ＴＧ４の発生した駆動信号は、ＣＣＤ２から出力される撮像信号が入力するユニット回路５にも送られる。ユニット回路５は、相関二重サンプリングによりＣＣＤ２の出力信号等のノイズを除去するＣＤＳ回路、ノイズが除去された撮像信号を増幅するゲイン調整用アンプ（ＡＧＣ）、増幅後の撮像信号をデジタル信号に変換するＡ／Ｄ変換器（ＡＤ）から構成されており、ＣＣＤ２の出力信号はユニット回路５でデジタル信号に変換されＣＰＵ３に送られる。
【００３１】
また、ＣＰＵ３には、レンズ駆動部６、液晶モニタ７、キー入力部８、が接続されるとともに、アドレス・データバス９を介してＤＲＡＭ１０、内蔵フラッシュメモリ１１、カード・インターフェイス１２が接続されており、カード・インターフェイス１２には、図示しないカメラ本体に設けられている図示しないカードスロットに着脱自在に装着されたメモリ・カード１３が接続されている。
【００３２】
レンズ駆動部６は、前記フォーカスレンズ及びズームレンズのそれぞれを光軸方向に駆動するためのステッピングモータ、及びそれらをＣＰＵ３から送られる制御信号に応じて駆動するモータドライバから構成される。
【００３３】
液晶モニタ７はカラーＬＣＤとその駆動回路とを含み、撮影待機モードではＣＣＤ２によって撮像された被写体画像をスルー画像として表示し、再生モードでは、メモリ・カード１３から読み出され伸張された記録画像を表示する。また、液晶モニタ７は、必要に応じモード選択や各種設定を行うための、後述する色見本選択画面３０１（図５参照）を含む種々の操作画面を表示することにより本発明の表示手段として機能する。
【００３４】
キー入力部８は、図示しないが記録（ＲＥＣ）モードと再生（ＰＬＡＹ）モードとを切り替えるモード切替キー、シャッターキー、ズームキー、各種の設定に際して設定内容の選択や変更を使用する方向キー及びセットキーからなる複合キー等、複数の操作キーを含み、使用者によるキー操作に応じたキー入力信号をＣＰＵ３に出力する。
【００３５】
ＤＲＡＭ１０は、撮影待機状態においてＣＣＤ２により撮像されデジタル化された被写体の画像データを一時記憶するバッファであるとともに、ＣＰＵ３のワーキングメモリとして使用される。ＤＲＡＭ１０に一時記憶された画像データは圧縮され、最終的にはメモリ・カード１３に記録される。
【００３６】
内蔵フラッシュメモリ１１には、図２に示したように、ＣＰＵ３にデジタルカメラ１の各部を制御させるための制御プログラム１０１と、ＣＰＵ３に前述した画像データの圧縮・伸張や、色調整処理を含む各種の画像信号処理を行わせるための画像処理プログラム１０２、及びＣＰＵ３が上記プログラムに基づく動作に際して使用する各種データ１０３が記憶されている。そして、ＣＰＵ３は、上記の各プログラムに従い動作することにより本発明の制御手段、表示制御手段、特定手段、色調整手段として機能する。
【００３７】
上記各種データ１０３には、ＡＥ（自動露出）、及びＡＦ（オートフォーカス）、ＡＷＢ（オートホワイトバランス）等の制御に使用される各種データと、予め用意されている複数の撮影シーンに応じた撮影モードでの撮影時に設定すべき撮影条件（シャッター速度、絞り値、フォーカスエリア等）の設定パラメータ等からなる撮影条件データとが含まれており、特に本実施の形態においては、撮影に対して後述する画像の色調整処理に使用される色調整データと、複数種の肌の色の色見本として使用される複数の色見本画像のデータとが含まれている。つまり内蔵フラッシュメモリ１１が本発明の記憶手段である。
【００３８】
内蔵フラッシュメモリ１１に記憶されている色調整データは、彩度に関する補正値を示す本発明の色調整情報である。図３は、色調整データ２０１の内容を示す模式図である。図示したように彩度用調整データ２０１は、異なる種類の肌の色２０１ａと、各々の肌の色に対応する赤成分の増加率２０１ｂおよび黄成分の増加率２０１ｃとから構成されている。本実施の形態で用意されている肌の色２０１ａは、国内での人物撮影に際して顔等の色である頻度が高い、白１，２、赤１，２，３の５色、すなわち白により近い肌色から徐々に赤みが強くなる肌色と、褐色１，２の２色、すなわち日焼け等によって黒みが強い肌色、および黒みが著しく強い肌色との計７種類である。
【００３９】
また、赤成分および黄成分の増加率２０１ｂ，２０１ｃは、撮影により得られる画像に対し、後述する肌色強調によって上記７種類の肌の色をより美しく（より自然に）表現するために用いる赤成分および黄成分の補正値である。逆に言えば、例えば「白１」は、赤成分を＋５０％、黄成分を＋１０％補正すれば、より美しく（より自然に）表現できる色となっている。一方、前述した色見本画像は、上記７種類の肌の色をユーザーに示すための色見本であって、上記肌の色にそれぞれが対応する、肌の色の異なる人物の顔を示す画像、すなわち顔の色が異なる７種類の顔写真の画像３０１ａ〜３０１ｇ（図５参照）である。
【００４０】
次に、以上の構成からなる第１の実施の形態における本発明に係る動作について説明する。図４は、記録（ＲＥＣ）モードにおいて、ユーザーが撮影シーンとして人物撮影用のシーンを選択することにより、それと対応する撮影モード、すなわち人物撮影モードを設定したときのＣＰＵ３の処理手順を示すフローチャートである。
【００４１】
ＣＰＵ３は、人物撮影モードが設定されると、まず内蔵フラッシュメモリ１１から色見本画像３０１ａ〜３０１ｇのデータを読み出し、それらの画像を図５に示したように色見本選択画面３０１として液晶モニタ７に表示して、ユーザーに所望の肌の色を選択させる（ステップＳＡ１）。ここでユーザーは、肌の色（顔の色）が、これから撮影する人物の例えば顔の色に最も近いと思われる色見本画像を所定のキー操作によって選択することとなる。
【００４２】
そして、ユーザーによっていずれかの色見本画像が選択されたら（ステップＳＡ２でＹＥＳ）、選択された色見本画像すなわち肌の色に対応する赤成分および黄成分の彩度の増加率２０１ｂ，２０１ｃをメモリ（ＤＲＡＭ１０の作業領域等）に記憶することにより、それを前述した撮影条件の設定パラメータの１つである色強調用パラメータとして設定する（ステップＳＡ３）。しかる後、一定周期でのＣＣＤ２による画像取り込み（撮像）を行い、取り込んだ画像に画素間引きを行うとともに、間引き後の画像をスルー画像として液晶モニタ７に表示し（ステップＳＡ４，ＳＡ５）、それを繰り返す。
【００４３】
やがて、その間にユーザーによってシャッターキーが押されたら（ステップＳＡ６でＹＥＳ）、記録する画像の撮像処理を行うとともに（ステップＳＡ７）、撮像した画像に対してステップＳＡ３で設定した色強調用パラメータに基づく肌色強調を行う。つまり撮像した画像における赤成分および黄成分の彩度を、ユーザーによって選択された肌の色に対応する割合で増減する処理を行う（ステップＳＡ８）。これにより肌の色がより美しく（より自然に）表現された画像が得られることとなる。しかる後、肌色強調後の画像を圧縮してメモリ・カード１３に記録し（ステップＳＡ９）、これにより１回の撮影処理を完了する。
【００４４】
以上のように本実施の形態においては、人物撮影モードによる撮影に際しては、撮影に先立ち、これから撮影する人物の例えば顔の色に最も近いと思われる肌の色をユーザーに予め選択させ、それに対応した異なる内容の肌色強調を行うことから、被写体によって肌の色が個々に異なったとしても、その色を適切な色に表現することができる。つまり人物撮影に際して、多様な肌の色を適切な色に表現することができる。しかも、肌の色の選択に対しては、色見本として色見本画像（顔写真）３０１ａ〜３０１ｇを表示させるため、ユーザーは、より被写体の肌の色に近い色を容易に選択することができ、使い勝手もよい。
【００４５】
なお、本実施の形態においては、前述した色調整データ２０１が彩度に関する補正値を示すデータであって、彩度のみの補正により撮影した画像の色調整を行うようにしたが、彩度以外の色の３要素である色相や明度に関する補正値を示すデータを色調整データ２０１として記憶しておき、色相や明度の補正により撮影した画像の色調整を行ったり、彩度と色相、彩度と明度、色相と明度、彩度と色相と明度といった複数の要素についての補正を同時に実施することによって、撮影した画像の色調整を行うようにしてもよい。その場合においても本実施の形態と同様の効果を得ることができる。但し、複数の要素を補正する場合の各々の補正値には、単独での補正を行う場合の補正値とは異なる設定値とする必要がある。
【００４６】
また、本実施の形態においては、予め記憶（登録）されている肌の色が７種類である場合を示したが、その数は必要に応じて変更可能である。また、前述した色見本画像３０１ａ〜３０１ｇには、色調整データ２０１（図３）と対応する所定の肌の色を示すことができれば任意の画像でよく、例えば顔部分の肌の色が、それぞれ上記７種類の色に加工されている同一人物の顔写真や、女優等の有名人の顔写真を用いるようにしてもよい。
【００４７】
また、ユーザーが所定のキー操作を行うことにより、上述した人物撮影モードによる撮影によって記録した画像（トリミング等の編集後の画像を含む）を新たに色見本画像として、又は既存の色見本画像と置き換えるように、前述した色調整データ２０１と対応させて登録（記録）する登録モードを別途設けるようにすれば、使い勝手を向上させることができる。
【００４８】
さらには、上述した人物撮影モード以外の撮影モードによる撮影によって記録した画像、または記録前のスルー画像として表示している画像から、被写体である人物の肌の色を登録する登録モードを設けてもよい。その場合には、上記画像において色見本画像として登録する領域をユーザーに指定される一方、例えば予め多数の肌の色に対応する色調整データを用意しておき、上記画像内でユーザーに指定された部分の色に最も近い色調整データに対応付けて、指定された領域部分の画像を内蔵フラッシュメモリ１１等に記憶させればよい。なお、画像における顔認識機能を有した構成であれば、上記画像から顔認識した領域から色見本画像と色調整データとを自動的に取得させるようにしてもよい。
【００４９】
また、本実施の形態においては、本発明をデジタルカメラに採用した場合について説明したが、これ以外にも本発明はカメラ付き携帯電話機等の他の電子カメラにも採用することができる。特に、カメラ付き携帯電話機に採用する場合には、それが電話帳データとして顔の画像データを記録することができるものであれば、その顔の画像データに対応させて、個人の肌の色に関する色調整データを記録させておき、それを撮影時に利用するようにしてもよい。
【００５０】
（実施形態２）
次に、本発明の第２の実施の形態について説明する。本実施の形態は、図１に示したものと同様の構成において、次の異なる構成を備えたデジタルカメラに関するものである。
【００５１】
すなわち本実施の形態では、前記キー入力部８のシャッターキーに、一般にハーフシャッターと呼ばれている撮影予告操作機能が設けられる一方、前記内蔵フラッシュメモリ１１に記憶されている各種データ１０３（図２）には、前述した色調整データ２０１（図３）と、後述する人物撮影モードでの撮影時に人物の顔の配置を示すために使用される図７に示した人型の構図枠４０１の画像データとが含まれている。なお、各種データ１０３には前述した色見本画像３０１ａ〜３０１ｇのデータは存在せず、また、前述した色調整データ２０１を構成する肌の色２０１ａのデータは前述した各々の色の特徴を示す所定のデータとなっている。
【００５２】
以下、本実施の形態における本発明に係る動作について説明する。図６は、記録（ＲＥＣ）モードにおいて、ユーザーが撮影シーンとして人物撮影用のシーンを選択することにより、それと対応する所定の人物撮影モードを設定したときのＣＰＵ３の処理手順を示すフローチャートである。
【００５３】
ＣＰＵ３は、人物撮影モードが設定されると、まず内蔵フラッシュメモリ１１から構図枠４０１の画像データを読み出し、メモリ（ＤＲＡＭ１０の作業領域等）に記憶した後（ステップＳＢ１）、一定周期でのＣＣＤ２による画像取り込み（撮像）を行い（ステップＳＢ２）、取り込んだ被写体画像に画素間引きを行うとともに、間引き後の画像にＯＳＤ（On Screen Display）機能により構図枠４０１を合成し（ステップＳＢ３）、合成後の画像を、図７に示したようなスルー画像Ｓとして液晶モニタ７に表示する（ステップＳＢ４）。なお、図７は、具体的な被写体画像を省略した画像である。そして、シャッターキーが半押しされるまでは（ステップＳＢ５でＮＯ）、ステップＳＢ２〜ＳＢ４の処理を繰り返す。
【００５４】
その後、シャッターキーが半押しされたら（ステップＳＢ５でＹＥＳ）、その時点で、被写体画像における図７に斜線で示した構図枠４０１の顔部分４０１ａに相当する領域５０１を対象として肌の色を分析する（ステップＳＢ６）。つまり肌の色の種類を特定する。なお、係る処理では、例えば上記領域５０１の全画素のうちから、その色情報の特徴が予め決められている範囲の肌の色に該当する画素のみを抽出し、抽出した画素の色情報から肌の色を分析（特定）する。しかる後、色調整データ２０１から、分析した肌の色と、その特徴が最も近い肌の色２０１ａに対応する赤成分および黄成分の彩度の増加率２０１ｂ，２０１ｃをメモリ（ＤＲＡＭ１０の所定領域等）に記憶することにより、それを前述した撮影条件の設定パラメータの１つである色強調用パラメータとして設定する（ステップＳＢ７）。そして、シャッターキーが全押しされるまでは（ステップＳＢ８でＮＯ）、ステップＳＢ２〜ＳＢ７の処理を繰り返す。
【００５５】
やがて、その間にシャッターキーが全押しされたら（ステップＳＢ８でＹＥＳ）、記録する画像の撮像処理を行うとともに（ステップＳＢ９）、撮像した画像に対してステップＳＢ７で設定した色強調用パラメータに基づく肌色強調を行う。つまり撮像した画像における赤成分および黄成分の彩度を、人物の顔の色の違いに応じ、それに適した割合で増減する処理を行う（ステップＳＢ１０）。これにより肌の色すなわち顔の色がより美しく（より自然に）表現された画像が得られることとなる。しかる後、肌色強調後の画像を圧縮してメモリ・カード１３に記録し（ステップＳＢ１１）、これにより１回の撮影処理を完了する。
【００５６】
以上のように本実施の形態においては、人物撮影モードによる撮影時には、構図枠４０１の顔部分４０１ａに相当する領域５０１、すなわち人物の顔の色を自動的に特定し、特定した肌の色毎に異なる内容の肌色強調を行うことから、被写体によって肌の色が個々に異なったとしても、その色を適切な色に表現することができる。つまり本実施の形態においても、人物撮影に際して、多様な肌の色を適切な色に表現することができる。また、ユーザーにあっては、自ら被写体の肌の色を選択する必要がないため、使い勝手がよい。しかも、構図枠４０１の顔部分４０１ａに相当する領域５０１の画素のみから肌の色を特定するため、その特定精度が高く、被写体によって異なる肌の色を確実に適切な色に表現することができる。
【００５７】
なお、本実施の形態においては、シャッターキーが半押しされた時点で人物の顔の色を特定するようにしたが、それを特定するタイミングは、シャッターキーが全押しされた時点としても構わない。また、ステップＳＢ１０では、第１の実施の形態と同様に撮像した画像全体に対して肌色強調を行うようにしたが、構図枠４０１の顔部分４０１ａに相当する領域５０１（人物の顔部分）のみに肌色強調を行うようにしてもよい。さらに、その場合、スルー画像に表示させる構図枠４０１を複数の人物の顔の配置を示すものとし、個々の人物の顔部分について肌の色を特定し、人物毎（顔部分毎）に、その肌の色に適した異なる内容の肌色強調を行うようにしてもよい。
【００５８】
また、人物撮影モードによる撮影時には構図枠４０１を表示させる場合について説明したが、例えば人物撮影モードとして、人物の顔を大きくアップで撮るためのモードが用意されている場合には、図示した構図枠４０１に代わる構図枠を表示させなくともよい。その場合には、被写体画像の全領域や、所定領域（例えば画面中央の所定領域）の全画素のうちから、その色情報の特徴が予め決められている範囲の肌の色に該当する画素のみを抽出し、抽出した画素の色情報から肌の色を分析して、人物の顔の色を自動的に特定するようにすればよい。
【００５９】
また、本実施の形態においても、彩度のみの補正により撮影した画像の色調整（肌色強調）を行うようにしたが、第１の実施の形態と同様、色相や明度の補正により撮影した画像の色調整を行ったり、彩度と色相、彩度と明度、色相と明度、彩度と色相と明度といった複数の色要素についての補正を同時に行うようにしてもよい。その場合においても本実施の形態と同様の効果を得ることができる。
【００６０】
また、本実施の形態においても、本発明をデジタルカメラに採用した場合について説明したが、これ以外にも本発明はカメラ付き携帯電話機等の他の電子カメラにも採用することができる。
【符号の説明】
【００６１】
１ デジタルカメラ
２ ＣＣＤ
３ ＣＰＵ
７ 液晶モニタ
１１ 内蔵フラッシュメモリ
１３ メモリ・カード
２０１ 色調整データ
３０１ 色見本選択画面
３０１ａ〜３０１ｇ 色見本画像
４０１ 構図枠
【図１】
2010022068.tif 000003
【図２】
2010022068.tif 000004
【図３】
2010022068.tif 000005
【図４】
2010022068.tif 000006
【図５】
2010022068.tif 000007
【図６】
2010022068.tif 000008
【図７】
2010022068.tif 000009
【手続補正書】
【提出日】平成21年11月20日(2009.11.20)
【手続補正２】
【補正対象書類名】明細書
【補正対象項目名】０００１
【補正方法】変更
【補正の内容】
【０００１】
本発明は、電子カメラ装置、色調整方法及びプログラムに関するものである。
【手続補正３】
【補正対象書類名】明細書
【補正対象項目名】０００５
【補正方法】変更
【補正の内容】
【０００５】
本発明は、かかる従来の課題に鑑みてなされたものであり、人物撮影に際して、被写体によって異なる多様な肌の色を適切な色に表現することができる電子カメラ装置、色調整方法及びプログラムを提供することを目的とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
請求項１記載の発明は、撮像手段と、表示手段と、肌の色を特定する範囲を示すための枠を前記撮像手段によって撮像された被写体画像に重ねて前記表示手段に表示させる表示制御手段と、この表示制御手段によって表示された前記枠の中に入る前記被写体画像における人物の顔のみについて、肌の色を調整する色調整手段とを備えたことを特徴とする。
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】変更
【補正の内容】
【００１８】
請求項２記載の発明は、請求項１記載の発明であって、人物の顔の画像における複数種の肌の色に対応する色調整情報を記憶する記憶手段をさらに備え、前記色調整手段は、この記憶手段に記憶された色調整情報に基づき、人物の顔の肌の色を調整することを特徴とする。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】変更
【補正の内容】
【００２０】
請求項３記載の発明は、請求項１又は２記載の発明であって、前記表示制御手段は、人物の顔が複数あるときにはこれら複数の人物の顔各々に前記枠を表示させ、前記色調整手段は前記各々の枠の中に入る人物の顔について個々に調整することを特徴とする。
【手続補正１９】
【補正対象書類名】明細書
【補正対象項目名】００２１
【補正方法】変更
【補正の内容】
【００２１】
請求項４記載の発明は、請求項１または２記載の発明であって、前記色調整情報は所定の色成分の彩度、色相、明度、及びこれらの任意の組み合わせのうちの何れかについての調整情報を含み、前記色調整手段は、前記色調整情報に基づき所定の色成分の前記何れかを調整することにより前記肌の色を調整することを特徴とする。
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】変更
【補正の内容】
【００２３】
請求項５記載の発明は、電子カメラ装置の撮像部により撮像した被写体画像の色調整方法であって、表示ステップと、肌の色を特定する範囲を示すための枠を前記撮像ステップによって撮像された被写体画像に重ねて前記表示ステップに表示させる表示制御ステップと、この表示制御ステップによって表示された前記枠の中に入る前記被写体画像における人物の顔のみについて、肌の色を調整する色調整ステップとを含むことを特徴とする。
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】変更
【補正の内容】
【００２５】
請求項６記載の発明は、撮像部を有する電子カメラ装置のコンピュータを、  肌の色を特定する範囲を示すための枠を前記撮像部によって撮像された被写体画像に重ねて前記表示手段に表示させる表示制御手段、この表示制御手段によって表示された前記枠の中に入る前記被写体画像における人物の顔のみについて、肌の色を調整する色調整手段として機能させることを特徴とする。
【手続補正２４】
【補正対象書類名】明細書
【補正対象項目名】００２６
【補正方法】削除
【補正の内容】
【手続補正２５】
【補正対象書類名】特許請求の範囲
【補正対象項目名】全文
【補正方法】変更
【補正の内容】
【特許請求の範囲】
【請求項１】
撮像手段と、
表示手段と、
肌の色を特定する範囲を示すための枠を前記撮像手段によって撮像された被写体画像に重ねて前記表示手段に表示させる表示制御手段と、
この表示制御手段によって表示された前記枠の中に入る前記被写体画像における人物の顔のみについて、肌の色を調整する色調整手段と
を備えたことを特徴とする電子カメラ装置。
【請求項２】
人物の顔の画像における複数種の肌の色に対応する色調整情報を記憶する記憶手段をさらに備え、
前記色調整手段は、この記憶手段に記憶された色調整情報に基づき、人物の顔の肌の色を調整することを特徴とする請求項１記載の電子カメラ装置。
【請求項３】
前記表示制御手段は、人物の顔が複数あるときにはこれら複数の人物の顔各々に前記枠を表示させ、前記色調整手段は前記各々の枠の中に入る人物の顔について個々に調整することを特徴とする請求項１又は２記載の電子カメラ装置。
【請求項４】
前記色調整情報は、所定の色成分の彩度、色相、明度、及びこれらの任意の組み合わせのうちの何れかについての調整情報を含み、前記色調整手段は、前記色調整情報に基づき所定の色成分の前記何れかを調整することにより前記肌の色を調整することを特徴とする請求項１または２記載の電子カメラ装置。
【請求項５】
電子カメラ装置の撮像部により撮像した被写体画像の色調整方法であって、
表示ステップと、
肌の色を特定する範囲を示すための枠を前記撮像ステップによって撮像された被写体画像に重ねて前記表示ステップに表示させる表示制御ステップと、
この表示制御ステップによって表示された前記枠の中に入る前記被写体画像における人物の顔のみについて、肌の色を調整する色調整ステップと
を含むことを特徴とする色調整方法。
【請求項６】
撮像部と表示部を有する電子カメラ装置のコンピュータを、  
肌の色を特定する範囲を示すための枠を前記撮像部によって撮像された被写体画像に重ねて前記表示手段に表示させる表示制御手段、
この表示制御手段によって表示された前記枠の中に入る前記被写体画像における人物の顔のみについて、肌の色を調整する色調整手段
として機能させるためのプログラム。